(57)【特許請求の範囲】
【請求項１】
中空の第一スリーブと、
前記第一スリーブと同じサイズを有する中空の第二スリーブと、
前記第一スリーブ内に装着固定される第一ドローバーと、
前記第二スリーブ内に装着固定される第二ドローバーと、
一端は前記第一ドローバーを被せて前記第一スリーブ内に収納され、他端は前記第二ドローバーを被せて前記第二スリーブ内に収納される第三スリーブと、
前記第二スリーブの一端に固定される筆先部と、
前記第三スリーブの両端に装着される２つの位置決めピンと、を備えてなるタッチペンであって、
前記第一ドローバー及び前記第二ドローバーの側面にはそれぞれスライド溝が形成され、且つ前記２つの位置決めピンはそれぞれ前記第一ドローバーのスライド溝の対向する両端及び前記第二ドローバーのスライド溝の対向する両端に解除可能に係止することができ、前記２つの位置決めピンを同時に前記第一ドローバーのスライド溝及び前記第二ドローバーのスライド溝に沿ってスライドさせて、前記第一ドローバー及び前記第二ドローバーを同時に前記第三スリーブに対して伸縮させるか、または前記２つの位置決めピンの中の一方を前記第一ドローバーのスライド溝又は前記第二ドローバーのスライド溝に沿ってスライドさせて、前記第一ドローバー及び前記第二ドローバーの中の一方を前記第三スリーブに対して伸縮させることを特徴とするタッチペン。
【請求項２】
前記スライド溝の両端にはそれぞれ１つのロック穴が設けられ、各ロック穴は１つのチャンネルを介して前記スライド溝に連通し、
前記位置決めピンの横断面の直径は前記ロック穴の内径と等しいが、前記チャンネルの幅より大きく、
前記位置決めピンを前記ロック穴に係止することにより、前記第一ドローバー又は前記第二ドローバーを前記第三スリーブにロックすることを特徴とする請求項１に記載のタッチペン。
【請求項３】
前記第一ドローバー及び前記第二ドローバーを別々に前記第一スリーブ及び前記第二スリーブ内に装着固定するための２つの固定ピンをさらに備えることを特徴とする請求項１に記載のタッチペン。
【請求項４】
前記第一ドローバーの一端には取付孔が設けられており、前記第一スリーブの一端には２つの固定穴が同軸に対向して設けられており、
前記１つの固定ピンを前記第一スリーブの１つの固定穴、前記第一ドローバーの取付孔及び前記第一スリーブの他の１つの固定穴に順次に貫通させ、且つその両端をそれぞれ前記第一スリーブの２つの固定穴に緊密に係止することにより、前記第一ドローバーを前記第一スリーブに固定することを特徴とする請求項３に記載のタッチペン。
【請求項５】
前記第二ドローバーの一端には貫通孔が設けられており、前記筆先部は中空部及び同軸に対向して設けられる２つの固定穴を備え、前記第二スリーブの一端には２つの固定穴が設けられており、
前記第二ドローバーの一端は前記筆先部の中空部に収納され、前記もう１つの固定ピンを前記第二スリーブの１つの固定穴、前記筆先部の１つの固定穴、前記第二ドローバーの貫通孔、前記筆先部の他の１つの固定穴、及び前記第二スリーブの他の１つの固定穴に順次に貫通させ、且つその両端をそれぞれ前記第二スリーブの２つの固定穴に緊密に係止することにより、前記第二スリーブ、前記筆先部及び前記第二ドローバーを一体に固定することを特徴とする請求項４に記載のタッチペン。
【発明の詳細な説明】
【技術分野】
【０００１】
本発明は、タッチペンに関し、特に携帯電子装置に用いられるタッチペンに関するものである。
【背景技術】
【０００２】
タッチパネル技術の発展に伴い、現在市販されている携帯電話、個人用携帯情報端末（ＰＤＡ）及びパソコン等の携帯式電子装置は殆んどタッチスクリーンを採用する。これらの携帯式電子装置は、一般的にタッチペンを入力手段とする。
【０００３】
従来のタッチペンは、通常携帯式電子装置の内部に内蔵されており、使用する時、前記タッチペンを携帯式電子装置の蓋体から抜き出す。しかし、携帯式電子装置の蓋体の長さが短いため、それに挿入されるタッチペンも短く設計しなければならない。従って、タッチペンの長さは制限されて、利用者に不便を与える。
【発明の概要】
【発明が解決しようとする課題】
【０００４】
上記の問題を解決するために、伸縮できるタッチペンがたくさん設計されたが、既存の伸縮式タッチペンは一段階だけ伸長できるため、その伸長された後の長さが有限であり、ユーザーの多様化なニーズに満たさない。
【０００５】
そこで、本発明は、以上の問題点に鑑みて、構造が簡単であり、使用便利で且つ異なる伸長長さを有するタッチペンを提供することを目的とする。
【課題を解決するための手段】
【０００６】
前記問題を解決するために、本発明に係るタッチペンは、中空の第一スリーブと、前記第一スリーブと同じサイズを有する中空の第二スリーブと、前記第一スリーブ内に装着固定される第一ドローバーと、前記第二スリーブ内に装着固定される第二ドローバーと、一端は前記第一ドローバーを被せて前記第一スリーブ内に収納され、他端は前記第二ドローバーを被せて前記第二スリーブ内に収納される第三スリーブと、前記第二スリーブの一端に固定される筆先部と、前記第三スリーブの両端に別々装着される２つの位置決めピンと、を備えてなる。前記第一ドローバー及び前記第二ドローバーの側面にはそれぞれスライド溝が形成され、且つ前記２つの位置決めピンはそれぞれ前記第一ドローバーのスライド溝の対向する両端及び前記第二ドローバーのスライド溝の対向する両端に解除可能に係止することができる。前記２つの位置決めピンを同時に前記第一ドローバーのスライド溝及び前記第二ドローバーのスライド溝に沿ってスライドさせて、前記第一ドローバー及び前記第二ドローバーを同時に前記第三スリーブに対して伸縮させるか、または前記２つの位置決めピンの中の一方を前記第一ドローバーのスライド溝又は前記第二ドローバーのスライド溝に沿ってスライドさせて、前記第一ドローバー及び前記第二ドローバーの中の一方を前記第三スリーブに対して伸縮させる。
【発明の効果】
【０００７】
従来の技術に比べて、本発明に係るタッチペンの第三スリーブの両端には、第一ドローバー及び第二ドローバーがスライド可能に装着される。前記第一ドローバーに固定連結される第一スリーブ又は前記第二ドローバーに固定連結される第二スリーブを引張るか又は推進することにより、前記第一ドローバー又は前記第二ドローバーを前記第三スリーブに対して伸長させるか又は収縮させることができる。また、前記第一ドローバー及び前記第二ドローバーを同時に前記第三スリーブから引出して、両者を別々に前記第三スリーブに対して伸長させることもできる。従って、本発明のタッチペンは異なる長さに伸長することができ、使用に便利である。
【図面の簡単な説明】
【０００８】
【図１】本発明に係るタッチペンの立体分解図である。
【図２】図１に示したタッチペンの組立図である。
【図３】図２に示したタッチペンのＩＩＩ−ＩＩＩ線に沿う断面図である。
【図４】図３に示したタッチペンが伸長された状態での断面図である。
【図５】図４に示したタッチペンのキャップが取外された状態での断面図である。
【発明を実施するための形態】
【０００９】
本発明のタッチペンは、携帯電話、個人用携帯情報端末（ＰＤＡ）及びパソコン等のような携帯電子装置に適用する。
【００１０】
図１に示したように、本発明のタッチペン１００は、中空の第一スリーブ１０と、中空の第二スリーブ２０と、第一ドローバー３０と、第二ドローバー４０と、中空の第三スリーブ５０と、前記第二スリーブ２０の一端に固定される筆先部６０と、前記筆先部６０を被せるキャップ７０と、２つの固定ピン８０と、２つの位置決めピン９０と、を備える。前記第一ドローバー３０及び前記第二ドローバー４０は、別々に１つの固定ピン８０を介して前記第一スリーブ１０及び前記第二スリーブ２０内に装着して固定される。前記第一ドローバー３０及び前記第二ドローバー４０は、全て前記第三スリーブ５０にスライド可能に収納されて、且つ前記第三スリーブ５０の対向する両端から伸び出すことができる。前記２つの位置決めピン９０を介して、前記第一ドローバー３０及び前記第二ドローバー４０の前記第三スリーブ５０に対する伸長位置を限定することができる。前記タッチペン１００を組立てた後、前記第三スリーブ５０の両端がそれぞれ前記第一スリーブ１０及び前記第二スリーブ２０内に収納される。
【００１１】
前記第一スリーブ１０は略方形の断面を有する中空管であって、４つの管壁１３により囲んで形成され、且つ長手軸方向に沿って前記第一ドローバー３０を収納するための中空部１１が設けられている。前記第一スリーブ１０の、対向して設置される２つの管壁１３の一端には、それぞれ１つの固定穴１３１が同軸に設けられている。前記固定ピン８０の両端は別々に前記２つの固定穴１３１を貫き、且つ前記固定ピン８０の両端は別々に前記２つの固定穴１３１に緊密に係止される。
【００１２】
前記第二スリーブ２０は、前記第一スリーブ１０と同じ形状やサイズを有する。前記第二スリーブ２０の前記第一スリーブ１０から離れた一端の対向する２つの管壁には、それぞれ１つの固定穴２１１が同軸に設けられている。前記固定ピン８０の両端は別々に前記２つの固定穴２１１を貫き、且つ前記固定ピン８０の両端は別々に前記２つの固定穴２１１に緊密に係止される。
【００１３】
前記第一ドローバー３０は、順次に連接するロッド部３１、固定部３３及びフランジ部３５を備える。前記ロッド部３１は横断面が略矩形を呈する柱状体であり、その対向する２つの側壁３１１には、前記側壁３１１を貫通するスライド溝３１３が設けられている。前記スライド溝３１３は細長い貫通溝であり、前記位置決めピン９０は前記スライド溝３１３内にスライド可能に設置される。前記固定部３３には、前記固定部３３を貫通する取付孔３３１が設けられており、前記取付孔３３１の延在方向は前記スライド溝３１３の延在方向に直交する。前記第一ドローバー３０を前記第一スリーブ１０内に装着して、前記取付孔３３１と前記固定穴１３１との位置を合わせてから、前記固定ピン８０を前記１つの固定穴１３１、前記取付孔３３１及び前記他の１つの固定穴１３１に順次に貫通することにより、前記第一ドローバー３０を前記第一スリーブ１０に固定する。前記フランジ部３５は、略方形の板状体であり、その形状及びサイズは前記中空部１１にほぼ一致するので、前記タッチペン１００を組立てた後、前記フランジ部３５で前記第一スリーブ１０の端部開口を塞ぐ。
【００１４】
図３に示すように、前記スライド溝３１３の両端にはそれぞれ１つのロック穴３１５が設けられており、各々のロック穴３１５は１つのチャンネル３１７を介して前記ガイド溝３１３に連通する。前記位置決めピン９０の横断面の直径は、前記ロック穴３１５の内径と等しいが、前記チャンネル３１７の幅より大きい。これにより、前記位置決めピン９０は前記ロック穴３１５内に滑り込んだ後、前記ロック穴３１５内に安定して停留される。各々のロック穴３１５の前記チャンネル３１７に背離する片側には、１つのスリット３１９が設けられている。前記スリット３１９が存在するため、前記位置決めピン９０が前記チャンネル３１７から前記ロック穴３１５内に滑り込む際に、前記ロック穴３１５を形成する側壁が拡張し易い。前記位置決めピン９０が前記ロック穴３１５内に滑り込んだ後、前記ロック穴３１５を形成する側壁は弾性回復して、前記位置決めピン９０をしっかりと挟持する。
【００１５】
前記第二ドローバー４０は、ロッド部４１及び前記ロッド部４１に連結する固定部４３を備える。前記ロッド部４１の形状、サイズ又は具体的な構造は、前記第一ドローバー３０のロッド部３１にまったく同じであるので、ここで詳しい説明を省略する。前記固定部４３には、前記固定ピン８０を装着するための貫通孔４３１が設けられている。
【００１６】
前記第三スリーブ５０は略方形の断面を有する中空管であって、その長手軸方向に沿って前記第一ドローバー３０及び前記第二ドローバー４０を収納するための中空部５１が設けられている。前記第三スリーブ５０の両端には、前記位置決めピン９０を装着するための２つの位置決め穴５３がそれぞれに設けられている。
【００１７】
前記筆先部６０は、主体部６１及び前記主体部６１から延伸するタッチ部６３を含む。前記主体部６１と前記タッチ部６３との接続部位にはリング状の係止溝６５が形成されている。前記主体部６１は中空の柱状体であり、軸方向に沿って前記固定部４３を収納するための中空部６１１が設けられている。前記主体部６１の対向する２つの側壁の一端には、別々に１つの固定穴６１３が設けられている。前記固定部４３を前記中空部６１１内に収納して、前記固定穴６１３と前記貫通孔４３との位置を合わせてから、前記固定ピン８０を前記第二スリーブ２０の１つの固定穴２１１、前記筆先部６０の主体部６１の１つの固定穴６１３、前記第二ドローバー４０の固定部４３の貫通孔４３１、前記筆先部６０の主体部６１の他の１つの固定穴６１３及び前記第二スリーブ２０の他の１つの固定穴２１１に順次に貫通させることにより、前記第二ドローバー４０、前記筆先部６０及び前記第二スリーブ２０を一体に固定する。前記タッチ部６３は略円錐状を呈し、前記携帯式電子装置のタッチパネルをタッチするために用いられる。
【００１８】
前記キャップ７０は周壁７１１によって囲まれて形成され、且つ前記キャップ７０の一端には、長手軸方向に沿って前記タッチ部６３を収納するための中空部７１が設けられている。前記周壁７１１の内周面には、２つの突起部７１３（図５を参照）が設けられており、前記突起部７１３を前記筆先部６０の係止溝６５に係合することにより、前記キャップ７０を前記筆先部６０に固定する。
【００１９】
以下、図１ないし図３を参照しながら、本発明のタッチペン１００の組立ステップについて詳細に説明する。
【００２０】
まず、前記第一ドローバー３０及び前記第二ドローバー４０を、別々に前記第三スリーブ５０の両端から前記中空部５１内に装着して、前記第一ドローバー３０のロッド部３１と前記第二ドローバー４０のロッド部３１とを対向させる。前記第一ドローバー３０の一端のロック穴３１５と前記第三スリーブ５０の一端の位置決め穴５３との位置を合せてから、前記位置決めピン９０を前記第三スリーブ５０の一端の１つの位置決め穴５３、前記第一ドローバー３０の一端の１つのロック穴３１５、前記第一ドローバー３０の一端の他の１つのロック穴３１５、前記第三スリーブ５０の一端の他の１つの位置決め穴５３に順次に貫通させて、前記位置決めピン９０の両端をそれぞれ前記第三スリーブ５０の一端の２つの位置決め穴５３に緊密に係止することにより、前記第一ドローバー３０を前記第三スリーブ５０内にスライド可能に装着する。ついで、同じ方法で前記第二ドローバー４０を前記第三スリーブ５０内にスライド可能に装着する。
【００２１】
次に、前記第一スリーブ１０を第三スリーブ５０の一端に被せると共に、前記第一スリーブ１０の固定穴１３１と前記第一ドローバー３０の取付孔３３１との位置を合せてから、前記固定ピン８０を前記第一スリーブ１０の１つの固定穴１３１、前記第一ドローバー３０の取付孔３３１、前記第一スリーブ１０の他の１つの固定穴１３１に順次に貫通させて、前記固定ピン８０の両端をそれぞれ前記第一スリーブ１０の２つの固定穴１３１に緊密に係止することにより、前記第一ドローバー３０の他端を前記第一スリーブ１０に固定する。
【００２２】
次に、前記第二ドローバー４０の固定部４３を前記筆先部６０の中空部６１１内に収納してから、前記第二スリーブ２０を前記タッチ部６３を経由して前記第三スリーブ５０の他端に被せると共に、前記第二スリーブ２０の固定穴２１１と、前記筆先部６０の主体部６１の固定穴６１３と、前記第二ドローバー４０の固定部４３の貫通孔４３１と、の位置を合せてから、前記固定ピン８０を前記第二スリーブ２０の１つの固定穴２１１、前記筆先部６０の主体部６１の１つの固定穴６１３、前記第二ドローバー４０の固定部４３の貫通孔４３１、前記筆先部６０の主体部６１の他の１つの固定穴６１３、前記第二スリーブ２０の他の１つの固定穴２１１に順次に貫通させて、前記固定ピン８０の両端をそれぞれ前記第二スリーブ２０の２つの固定穴２１１に緊密に係止することにより、前記第二ドローバー４０の他端及び前記筆先部６０を前記第二スリーブ２０に固定する。
【００２３】
最後に、前記キャップ７０を前記筆先部６０に被せて、前記タッチ部６３を前記キャップ７０の中空部７１内に収納すると共に、前記キャップ７０の周壁７１１の内周面の突起部７１３を前記筆先部６０の係止溝６５内に係合する。これで、前記タッチペン１００の組立てを完成する。
【００２４】
図３乃至図５に示すように、前記タッチペン１００を使用する場合、前記第一スリーブ１０及び前記キャップ７０を相反する方向に向って同時に引張ると、前記第一ドローバー３０及び前記第二ドローバー４０は、前記第一スリーブ１０及び前記キャップ７０に連動されて前記第三スリーブ５０の両端からそれぞれ引き出される。これと同時に、前記第三スリーブ５０の両端に装着された２つの位置決めピン９０は、それぞれ前記第一ドローバー３０のスライド溝３１３及び前記第二ドローバー４０のスライド溝（図示せず）に沿ってスライドする。続けて前記第一スリーブ１０及び前記キャップ７０を引張ると、前記２つの位置決めピン９０は別々に前記第一ドローバー３０のロック穴３１５及び前記第二ドローバー４０のロック穴内に滑り込んで係止される。最後に、もっと大きい牽引力で前記キャップ７０を引張って、前記キャップ７０の突起部７１３と前記係止溝６５との係合力を克服すれば、前記キャップ７０を取り外すことができる。このように前記タッチペン１００が完全に長く伸長された。
【００２５】
また、前記タッチペン１００をより短くする必要があれば、左手で前記第三スリーブ５０を固定し、右手で前記第二スリーブ２０に向って前記第一スリーブ１０を推進すると、前記第一ドローバー３０は前記第一スリーブ１０に連動されて前記第三スリーブ５０内に滑り込み、前記位置決めピン９０は前記第一ドローバー３０の前記固定部３３に近いロック穴３１５内に係止される。それとも、右手で前記第三スリーブ５０を固定し、左手で前記第一スリーブ１０に向って前記第二スリーブ２０を推進すると、前記第二ドローバー４０は前記第二スリーブ２０に連動されて前記第三スリーブ５０内に滑り込み、前記位置決めピン９０は前記第二ドローバー４０の前記固定部４３に近いロック穴内に係止される。
【００２６】
本発明のタッチペン１００において、前記第一ドローバー３０及び前記第二ドローバー４０は別々に前記第三スリーブ５０の両端にスライド可能に装着される。前記第一ドローバー３０に固定連結される第一スリーブ１０又は前記第二ドローバー４０に固定連結される第二スリーブ２０を引張るか又は推進することにより、前記第一ドローバー３０又は前記第二ドローバー４０を前記第三スリーブ５０に対して伸長させるか又は収縮させることができる。また、前記第一ドローバー３０及び前記第二ドローバー４０を同時に前記第三スリーブ５０から引出して、両者を前記第三スリーブ５０に対して伸長させることができる。従って、本発明のタッチペン１００は異なる長さに伸長されることができ、使用に便利である。
【００２７】
以上、本発明の好適な実施例について詳細に説明したが、本発明は前記実施例に限定されるものではなく、本発明の範囲内で種々の変形又は修正が可能であり、該変形又は修正も又、本発明の特許請求の範囲内に含まれるものであることは、いうまでもない。
【符号の説明】
【００２８】
１０        スリーブ
１１        中空部
１３        管壁
２０        第一スリーブ
３０        第一ドローバー
３１        ロッド部
３３        固定部
３５        フランジ部
４０        第二ドローバー
４１        ロッド部
４３        固定部
５０        第三スリーブ
５１        中空部
５３        位置決め穴
６０        筆先部
６１        主体部
６３        タッチ部
６５        係止溝
７０        キャップ
７１        中空部
８０        固定ピン
９０        位置決めピン
１００      タッチペン
１３１      固定穴
２１１      固定穴
３１１      側壁
３１３      スライド溝
３１５      ロック穴
３１７      チャンネル
３１９      スリット
３３１      取付孔
４３１      貫通孔
６１１      中空部
６１３      固定穴
７１１      周壁
７１３      突起部
【図１】
0005577266.tif 000002
【図２】
0005577266.tif 000003
【図３】
0005577266.tif 000004
【図４】
0005577266.tif 000005
【図５】
0005577266.tif 000006